【手続補正書】
【提出日】平成19年11月15日(2007.11.15)
【手続補正１】
【補正対象書類名】特許請求の範囲
【補正対象項目名】全文
【補正方法】変更
【補正の内容】
【特許請求の範囲】
【請求項１】
第１の電力供給モードでの充電に対応した第１のバッテリパック及び前記第１のバッテリパックより大きい電流で充電を行う第２の電力供給モードに対応した第２のバッテリパックが装着され、装着された第１又は第２のバッテリパックを充電する充電装置において、
前記第１又は第２のバッテリパックが装着される装着部と、
前記第１のバッテリパックと前記第２のバッテリパックの外形形状の違いを利用して、装着されたバッテリパックが前記第１のバッテリパックであるか前記第２のバッテリパックであるかを判定するためのバッテリパック種別判定スイッチと、
前記第１又は第２のバッテリパックを前記装着部に装着する際に、前記バッテリパック種別判定スイッチよりも遅いタイミングで判定結果が得られる位置に配置され、前記第１のバッテリパックと前記第２のバッテリパックに共通する外形形状を利用して、前記第１又は前記第２のバッテリパックへの充電の開始を判定するための充電オンオフスイッチと、
前記充電オンオフスイッチが前記第１又は第２のバッテリパックへの充電の開始を判定した際に、前記バッテリパック種別検出スイッチに応じた電力供給モードで、装着された前記第１又は第２のバッテリパックに対して充電を行う制御手段と
を備える充電装置。
【請求項２】
前記第２のバッテリパックには、前面部と底面部とが接する所定の部位に凹部が設けられ、前記第１のバッテリパックには、前記所定の部位に凹部が設けられていない点で、前記第１および第２のバッテリパックは、相互に外形形状が異なり、
前記バッテリパック識別判定スイッチは、前記第１および第２のバッテリパックが装着方向にスライドされる際、前記所定の部位に対向する位置に設けられた、凸状の部位から構成され、前記凸状の部位が、前記所定の部位の凹部の有無により押圧されるか否かにより、前記第１のバッテリパックであるか前記第２のバッテリパックであるかを判定する
請求項１に記載の充電装置。
【請求項３】
前記第１または第２のバッテリパックは、そのいずれにも前面部と底面部とが接する所定の部位とは異なる位置に共通部位を備え、
前記充電オンオフスイッチは、前記第１および第２のバッテリパックが装着方向にスライドされる際、前記共通部位に対向する位置で、かつ、前記バッテリパック識別判定スイッチに対して、装着方向の後方に設けられた、凸状の部位から構成されるものであり、この凸状の部位が、前記バッテリパック種別判定スイッチよりも遅いタイミングで、前記共通部位により押圧されるか否かにより、前記第１又は前記第２のバッテリパックへの充電の開始を判定する
請求項２に記載の充電装置。
【手続補正２】
【補正対象書類名】明細書
【補正対象項目名】発明の名称
【補正方法】変更
【補正の内容】
【発明の名称】充電装置
【手続補正３】
【補正対象書類名】明細書
【補正対象項目名】０００１
【補正方法】変更
【補正の内容】
【０００１】
本発明は、充電装置に関し、特に、電力供給方式の異なる充放電装置に対して、それぞれを識別し、対応する方式で電力を供給できるようにした充電装置に関する。
【手続補正４】
【補正対象書類名】明細書
【補正対象項目名】０００２
【補正方法】変更
【補正の内容】
【０００２】
ビデオカメラなどに使用されるバッテリパックに代表される充放電装置に、充電器などの電力供給装置より電力を供給して蓄えさせる、いわゆる充電技術が一般に普及しつつある（特許文献１乃至３参照）。
【手続補正５】
【補正対象書類名】明細書
【補正対象項目名】０００４
【補正方法】変更
【補正の内容】
【０００４】
しかしながら、近年、この課題を解消すべく、バッテリパックと充電器は技術的に進歩し、充電器からの充電電流を、より大電流にすることで、バッテリパックに充電させることが可能となった。結果として、バッテリパックの充電容量を大きくしても、充電に要する時間を短縮すること（高速充電）が可能となってきている。
【特許文献１】特開平６−１０４０１７号公報
【特許文献２】特開平６−１０５４７６号公報
【特許文献３】特開平６−０２０６６５号公報
【手続補正６】
【補正対象書類名】明細書
【補正対象項目名】０００９
【補正方法】変更
【補正の内容】
【０００９】
本発明の一側面の充電装置は、第１の電力供給モードでの充電に対応した第１のバッテリパック及び前記第１のバッテリパックより大きい電流で充電を行う第２の電力供給モードに対応した第２のバッテリパックが装着され、装着された第１又は第２のバッテリパックを充電する充電装置であって、前記第１又は第２のバッテリパックが装着される装着部と、前記第１のバッテリパックと前記第２のバッテリパックの外形形状の違いを利用して、装着されたバッテリパックが前記第１のバッテリパックであるか前記第２のバッテリパックであるかを判定するためのバッテリパック種別判定スイッチと、前記第１又は第２のバッテリパックを前記装着部に装着する際に、前記バッテリパック種別判定スイッチよりも遅いタイミングで判定結果が得られる位置に配置され、前記第１のバッテリパックと前記第２のバッテリパックに共通する外形形状を利用して、前記第１又は前記第２のバッテリパックへの充電の開始を判定するための充電オンオフスイッチと、前記充電オンオフスイッチが前記第１又は第２のバッテリパックへの充電の開始を判定した際に、前記バッテリパック種別検出スイッチに応じた電力供給モードで、装着された前記第１又は第２のバッテリパックに対して充電を行う制御手段とを備える。
【手続補正７】
【補正対象書類名】明細書
【補正対象項目名】００１０
【補正方法】変更
【補正の内容】
【００１０】
前記第２のバッテリパックには、前面部と底面部とが接する所定の部位に凹部が設けられ、前記第１のバッテリパックには、前記所定の部位に凹部が設けられていない点で、前記第１および第２のバッテリパックは、相互に外形形状が異なるようにすることができ、前記バッテリパック識別判定スイッチは、前記第１および第２のバッテリパックが装着方向にスライドされる際、前記所定の部位に対向する位置に設けられた、凸状の部位から構成されるようにすることができ、前記凸状の部位が、前記所定の部位の凹部の有無により押圧されるか否かにより、前記第１のバッテリパックであるか前記第２のバッテリパックであるかを判定させるようにすることができる。
【手続補正８】
【補正対象書類名】明細書
【補正対象項目名】００１１
【補正方法】変更
【補正の内容】
【００１１】
前記第１または第２のバッテリパックは、そのいずれにも前面部と底面部とが接する所定の部位とは異なる位置に共通部位を設けるようにさせることができ、前記充電オンオフスイッチは、前記第１および第２のバッテリパックが装着方向にスライドされる際、前記共通部位に対向する位置で、かつ、前記バッテリパック識別判定スイッチに対して、装着方向の後方に設けられた、凸状の部位から構成されるものとすることができ、この凸状の部位が、前記バッテリパック種別判定スイッチよりも遅いタイミングで、前記共通部位により押圧されるか否かにより、前記第１又は前記第２のバッテリパックへの充電の開始を判定させるようにすることができる。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】
【手続補正３９】
【補正対象書類名】明細書
【補正対象項目名】００４２
【補正方法】削除
【補正の内容】
【手続補正４０】
【補正対象書類名】明細書
【補正対象項目名】００４３
【補正方法】削除
【補正の内容】
【手続補正４１】
【補正対象書類名】明細書
【補正対象項目名】００４４
【補正方法】削除
【補正の内容】
【手続補正４２】
【補正対象書類名】明細書
【補正対象項目名】００４５
【補正方法】削除
【補正の内容】
【手続補正４３】
【補正対象書類名】明細書
【補正対象項目名】００４６
【補正方法】削除
【補正の内容】
【手続補正４４】
【補正対象書類名】明細書
【補正対象項目名】００４７
【補正方法】削除
【補正の内容】
【手続補正４５】
【補正対象書類名】明細書
【補正対象項目名】００４８
【補正方法】削除
【補正の内容】
【手続補正４６】
【補正対象書類名】明細書
【補正対象項目名】００４９
【補正方法】削除
【補正の内容】
【手続補正４７】
【補正対象書類名】明細書
【補正対象項目名】００５０
【補正方法】削除
【補正の内容】
【手続補正４８】
【補正対象書類名】明細書
【補正対象項目名】００５１
【補正方法】削除
【補正の内容】
【手続補正４９】
【補正対象書類名】明細書
【補正対象項目名】００５２
【補正方法】削除
【補正の内容】
【手続補正５０】
【補正対象書類名】明細書
【補正対象項目名】００５３
【補正方法】削除
【補正の内容】
【手続補正５１】
【補正対象書類名】明細書
【補正対象項目名】００５４
【補正方法】削除
【補正の内容】
【手続補正５２】
【補正対象書類名】明細書
【補正対象項目名】００５５
【補正方法】削除
【補正の内容】
【手続補正５３】
【補正対象書類名】明細書
【補正対象項目名】００５６
【補正方法】削除
【補正の内容】
【手続補正５４】
【補正対象書類名】明細書
【補正対象項目名】００５７
【補正方法】変更
【補正の内容】
【００５７】
本発明の一側面の充電装置においては、第１の電力供給モードでの充電に対応した第１のバッテリパック及び前記第１のバッテリパックより大きい電流で充電を行う第２の電力供給モードに対応した第２のバッテリパックが装着され、装着された第１又は第２のバッテリパックを充電する充電装置であって、前記第１又は第２のバッテリパックが装着され、前記第１のバッテリパックと前記第２のバッテリパックの外形形状の違いを利用して、装着されたバッテリパックが前記第１のバッテリパックであるか前記第２のバッテリパックであるかが判定され、前記第１又は第２のバッテリパックを前記装着部に装着する際に、前記種別を判定するよりも遅いタイミングで判定結果が得られる位置に配置され、前記第１のバッテリパックと前記第２のバッテリパックに共通する外形形状を利用して、前記第１又は前記第２のバッテリパックへの充電の開始が判定され、前記第１又は第２のバッテリパックへの充電の開始が判定された際に、種別に応じた電力供給モードで、装着された前記第１又は第２のバッテリパックに対して充電が行われる。
【手続補正５５】
【補正対象書類名】明細書
【補正対象項目名】００５８
【補正方法】削除
【補正の内容】
【手続補正５６】
【補正対象書類名】明細書
【補正対象項目名】００５９
【補正方法】削除
【補正の内容】
【手続補正５７】
【補正対象書類名】明細書
【補正対象項目名】００６０
【補正方法】削除
【補正の内容】
【手続補正５８】
【補正対象書類名】明細書
【補正対象項目名】００６１
【補正方法】削除
【補正の内容】
【手続補正５９】
【補正対象書類名】明細書
【補正対象項目名】００６２
【補正方法】削除
【補正の内容】
【手続補正６０】
【補正対象書類名】明細書
【補正対象項目名】００６３
【補正方法】削除
【補正の内容】
【手続補正６１】
【補正対象書類名】明細書
【補正対象項目名】００６４
【補正方法】削除
【補正の内容】
【手続補正６２】
【補正対象書類名】明細書
【補正対象項目名】００６５
【補正方法】削除
【補正の内容】
【手続補正６３】
【補正対象書類名】明細書
【補正対象項目名】００６６
【補正方法】変更
【補正の内容】
【００６６】
本発明の一側面の充電装置によれば、第１の電力供給モードでの充電に対応した第１のバッテリパック及び前記第１のバッテリパックより大きい電流で充電を行う第２の電力供給モードに対応した第２のバッテリパックを装着し、装着した第１又は第２のバッテリパックを充電する充電装置であって、前記第１又は第２のバッテリパックを装着し、前記第１のバッテリパックと前記第２のバッテリパックの外形形状の違いを利用して、装着されたバッテリパックが前記第１のバッテリパックであるか前記第２のバッテリパックであるかを判定し、前記第１又は第２のバッテリパックを前記装着部に装着する際に、前記種別を判定するよりも遅いタイミングで判定結果が得られる位置に配置し、前記第１のバッテリパックと前記第２のバッテリパックに共通する外形形状を利用して、前記第１又は前記第２のバッテリパックへの充電の開始を判定し、前記第１又は第２のバッテリパックへの充電の開始を判定した際に、前記種別に応じた電力供給モードで、装着された前記第１又は第２のバッテリパックに対して充電を行うようにした。
【手続補正６４】
【補正対象書類名】明細書
【補正対象項目名】００６７
【補正方法】削除
【補正の内容】
【手続補正６５】
【補正対象書類名】明細書
【補正対象項目名】００６８
【補正方法】削除
【補正の内容】
【手続補正６６】
【補正対象書類名】明細書
【補正対象項目名】００６９
【補正方法】削除
【補正の内容】
【手続補正６７】
【補正対象書類名】明細書
【補正対象項目名】００７０
【補正方法】削除
【補正の内容】
【手続補正６８】
【補正対象書類名】明細書
【補正対象項目名】００７１
【補正方法】削除
【補正の内容】
【手続補正６９】
【補正対象書類名】明細書
【補正対象項目名】００７２
【補正方法】削除
【補正の内容】
【手続補正７０】
【補正対象書類名】明細書
【補正対象項目名】００７３
【補正方法】削除
【補正の内容】
【手続補正７１】
【補正対象書類名】明細書
【補正対象項目名】００７４
【補正方法】削除
【補正の内容】
【手続補正７２】
【補正対象書類名】明細書
【補正対象項目名】００７５
【補正方法】変更
【補正の内容】
【００７５】
このため、第１のバッテリパックより大きい電流で充電を行う第２の電力供給モードに対応した第２のバッテリパックが装着されない限り、第１の電力供給モードで充電がなされるので、不用意に大きな電流で充電を行う第２の電力供給モードでの充電がなされなくなり、安全性を確保することが可能となる。
結果として、充放電装置の種別や温度に基づいて、適正な電力供給モードで充放電装置を充電することが可能になり、充放電装置を充電する際に生じる過電流による充電容量の低下や破損を抑制することが可能となる。